(57)【要約】【課題】加熱ユニット及びタンクユニットの一方のみを交換する場合に、接続された加熱ユニットがタンクユニットに対応可能な加熱能力を有するか否かを識別可能な給湯装置を提供する。【解決手段】主制御部７０に記憶されたタンクユニット２０に対応可能な加熱能力を有するヒートポンプユニット１０の機種データに基づいて、タンクユニット２０に接続されたヒートポンプユニット１０がタンクユニット２０に対応可能な加熱能力を有するか否かを識別するようにしたので、タンクユニット２０及びタンクユニット２０に対応可能な加熱能力を有しないヒートポンプユニット１０の利用者への引き渡しを防止することができ、加熱能力の不足を原因とする引き渡し後の不具合の発生を防止することができる。【選択図】図１
2009144934.tif 000002
【特許請求の範囲】
【請求項１】
水を加熱する加熱ユニットと、加熱ユニットにおいて加熱された温水を貯えるタンクユニットとを備えた給湯装置において、
タンクユニットに対応可能な加熱能力を有する加熱ユニットの機種データを記憶する記憶手段と、
記憶手段に記憶された加熱ユニットの機種データに基づいて、タンクユニットに接続された加熱ユニットがタンクユニットに対応可能な加熱能力を有するか否かを識別可能な識別手段とを備えた
ことを特徴とする給湯装置。
【請求項２】
水を加熱する加熱ユニットと、加熱ユニットにおいて加熱された温水を貯えるタンクユニットとを備えた給湯装置において、
タンクユニットに接続された加熱ユニットを運転することにより、加熱ユニットの加熱能力を測定する能力測定手段と、
能力測定手段によって測定された加熱ユニットの加熱能力が所定以上の場合に、タンクユニットに接続された加熱ユニットをタンクユニットに対応可能な加熱能力を有する加熱ユニットとして識別する識別手段とを備えた
ことを特徴とする給湯装置。
【請求項３】
前記加熱能力測定手段によって測定された加熱ユニットの加熱能力が所定の加熱能力以下の場合に、警告を行う警告手段を備えた
ことを特徴とする請求項２記載の給湯装置。
【請求項４】
前記加熱能力測定手段によって測定された加熱ユニットの加熱能力によって可能な運転モードを表示する表示手段を備えた
ことを特徴とする請求項２または３記載の給湯装置。
【発明の詳細な説明】
【技術分野】
【０００１】
本発明は、水を加熱する加熱ユニットと、加熱ユニットによって加熱された温水を貯えるタンクユニットとを備えた給湯装置に関するものである。
【背景技術】
【０００２】
従来、この種の給湯装置としては、水を加熱する加熱ユニットと、加熱ユニットにおいて加熱された温水を貯えるタンクユニットとを備えたものが知られている（例えば、特許文献１参照）。
【特許文献１】特開２００７−２４０１５１号公報
【発明の開示】
【発明が解決しようとする課題】
【０００３】
従来の給湯装置では、加熱ユニットとタンクユニットの組み合わせがそれぞれ特定の機種同士の組み合わせのみで運転可能となっており、加熱ユニット及びタンクユニットの一方を異なる機種の加熱ユニットまたはタンクユニットに置き換えることはできなかった。そこで、互いに対応関係の無い機種の加熱ユニットとタンクユニットを接続することが考えられるが、加熱ユニットは機種によって加熱能力が異なるため、タンクユニットに対応する加熱能力を有していない加熱ユニットがタンクユニットに接続されると、要求される量及び温度の温水を供給することができなくなるおそれがある。
【０００４】
本発明の目的とするところは、加熱ユニット及びタンクユニットの一方のみを交換する場合に、接続された加熱ユニットがタンクユニットに対応可能な加熱能力を有するか否かを識別可能な給湯装置を提供することにある。
【課題を解決するための手段】
【０００５】
本発明は前記目的を達成するために、水を加熱する加熱ユニットと、加熱ユニットにおいて加熱された温水を貯えるタンクユニットとを備えた給湯装置において、タンクユニットに対応可能な加熱能力を有する加熱ユニットの機種データを記憶する記憶手段と、記憶手段に記憶された加熱ユニットの機種データに基づいて、タンクユニットに接続された加熱ユニットがタンクユニットに対応可能な加熱能力を有するか否かを識別可能な識別手段とを備えている。
【０００６】
これにより、タンクユニットに接続された加熱ユニットがタンクユニットに対応可能な加熱能力を有する機種か否かが識別されることから、タンクユニット及びタンクユニットに対応可能な加熱能力を有しない加熱ユニットの利用者へ引き渡しが防止される。
【０００７】
また、前記目的を達成するために、水を加熱する加熱ユニットと、加熱ユニットにおいて加熱された温水を貯えるタンクユニットとを備えた給湯装置において、タンクユニットに接続された加熱ユニットを運転することにより、加熱ユニットの加熱能力を測定する能力測定手段と、能力測定手段によって測定された加熱ユニットの加熱能力が所定以上の場合に、タンクユニットに接続された加熱ユニットをタンクユニットに対応可能な加熱能力を有する加熱ユニットとして識別する識別手段とを備えている。
【０００８】
これにより、タンクユニットに接続された加熱ユニットがタンクユニットに対応可能な加熱能力を有するか否かが識別されることから、タンクユニット及びタンクユニットに対応可能な加熱能力を有しない加熱ユニットの利用者への引き渡しが防止される。
【発明の効果】
【０００９】
本発明によれば、タンクユニット及びタンクユニットに対応可能な加熱能力を有しない加熱ユニットの利用者への引き渡しを防止することができるので、加熱能力の不足を原因とする引き渡し後の不具合の発生を防止することができる。
【発明を実施するための最良の形態】
【００１０】
図１乃至図２は本発明の第１実施形態を示すもので、図１は給湯装置の概略構成図、図２はタンクユニットにヒートポンプユニットを接続する際の制御部の動作を示すフローチャートである。
【００１１】
この給湯装置は、電力を利用して水を加熱するためのヒートポンプユニット１０と、ヒートポンプユニット１０によって加熱された温水を貯えるためのタンクユニット２０と、タンクユニット２０や浴室及び台所に水を供給するための給水管３０と、タンクユニット２０に貯えられた温水を浴室及び台所に供給するための給湯管４０と、ヒートポンプユニット１０とタンクユニット２０との間に水を循環させるための第１循環回路５０と、タンクユニット２０と浴室の浴槽６１の間に浴槽６１の水を循環させるための第２循環回路６０とを備えている。この給湯装置は、ヒートポンプユニット１０において加熱された温水をタンクユニット２０に貯え、タンクユニット２０に貯えられた温水を、台所での洗い物用の温水や浴室での入浴用の温水として供給する他、浴槽６１に貯められた湯の追い炊きの熱源として供給するものである。
【００１２】
ヒートポンプユニット１０は、電動の圧縮機１１、ガスクーラ１２、膨張弁１３及び蒸発器１４を有し、これらを銅またはステンレス等の管によって順次接続することにより冷媒回路１０ａが構成されている。また、冷媒回路１０ａには、高圧側が超臨界状態となる二酸化炭素が冷媒として充填されている。ガスクーラ１２は、冷媒−水熱交換器であり、水側の流路が第１循環回路５０の一部となっている。蒸発器１４は、冷媒−空気熱交換器であり、その近傍には冷媒と熱交換する空気を流通させるための送風機１４ａが設けられている。
【００１３】
タンクユニット２０は、貯湯タンク２１と、第２循環回路６０を流通する浴槽６１の水と貯湯タンク２１内の温水を熱交換するための追い炊き用熱交換器２２と、貯湯タンク２１と追い炊き用熱交換器２２との間に温水を循環させるための第３循環回路２３とを有している。
【００１４】
貯湯タンク２１は、ステンレスまたは繊維強化プラスチック（ＦＲＰ）等からなり、貯えた温水の放熱を抑制するために、グラスウール、発泡ウレタンまたは真空断熱材等の断熱材によって外部が覆われている。また、貯湯タンク２１は、本実施形態においては、３７０リットルのタンクが用いられる。
【００１５】
追い炊き用熱交換器２２は、水−水熱交換器であり、一方の流路が第２循環回路６０の一部となっており、他方の流路が第３循環回路２３の一部となっている。
【００１６】
第３循環回路２３は、貯湯タンク２１の上部、追い炊き用熱交換器２２、循環ポンプ２３ａ、貯湯タンク２１の下部の順に、銅管またはステンレス管によって接続することにより構成され、循環ポンプ２３ａによって貯湯タンク２１の上部の温水が追い炊き用熱交換器２２を流通して貯湯タンク２１の下部に戻るようになっている。
【００１７】
給水管３０は、貯湯タンク２１の下部に接続された第１給水管３１と、給湯管４０に接続された第２給水管３２と、浴室及び台所の水栓Ａに接続された第３給水管３３とを有している。第１給水管３１、第２給水管３２及び第３給水管３３の上流側の給水管３０には、上水道から供給される水を所定の圧力に減圧して流通させるための減圧弁３０ａが設けられている。
【００１８】
給湯管４０は、一端側が貯湯タンク２１の上部に接続され、他端側が貯湯タンク２１の温水と第２給水管３２を流通する水とを混合するための第１混合弁４０ａ及び第２混合弁４０ｂに接続された第１給湯管４１と、一端側が第１混合弁４０ａに接続され、他端側が浴室及び台所の水栓Ａに接続された第２給湯管４２と、一端側が第２混合弁４０ｂに接続され、他端側が第２循環回路６０に接続された第３給湯管４３とを有している。給湯管４０には、第１給水管３１から貯湯タンク２１内に流入する水の圧力によって、貯湯タンク２１の上部の温水が流通するようになっている。また、第３給湯管４３には、流路を開閉するための電磁弁４３ａが設けられている。
【００１９】
第１循環回路５０は、貯湯タンク２１の下部、循環ポンプ５１、ガスクーラ１２、貯湯タンク２１の上部を順に銅管、ステンレス管または架橋ポリエチレン管等によって接続することにより構成され、循環ポンプ５１によって貯湯タンク２１の下部の水がガスクーラ１２を流通し、貯湯タンク２１の上部に流入するようになっている。
【００２０】
第２循環回路６０は、浴槽６１、循環ポンプ６２、追い炊き用熱交換器２２、浴槽６１を順に銅管ステンレス管または架橋ポリエチレン管等によって接続することにより構成され、循環ポンプ６２によって浴槽６１の湯が追い炊き用熱交換器２２を流通し、浴槽６１に戻されるようになっている。
【００２１】
また、この給湯装置は、タンクユニット２０に設けられ、運転を制御するための主制御部７０と、ヒートポンプユニット１０に設けられ、主制御部７０の信号を受信してヒートポンプユニット１０の運転を制御するためのヒートポンプ制御部８０と、台所及び浴室にそれぞれ設けられ、運転の操作及び設定を行うための台所用リモコン７１と及び浴室用リモコン７２とを備えている。
【００２２】
主制御部７０は、マイクロコンピュータによって構成され、その記憶手段としてのメモリには、運転の動作、運転モードの設定等のプログラムが記憶されるとともに、タンクユニット２０に対応可能なヒートポンプユニット１０の機種のデータ等の情報が記憶されるようになっている。また、主制御部７０は、通信可能なデータ量の違いなど、互いに異なる第１通信方式または第２通信方式によってヒートポンプ制御部８０と通信できるようになっている。
【００２３】
ヒートポンプ制御部８０は、通信ケーブルによって主制御部７０に接続されており、主制御部７０から発せられる信号を受信してヒートポンプユニット１０の圧縮機１１や送風機１４ａなどの機器の運転を制御するようになっている。また、ヒートポンプ制御部８０は、ヒートポンプユニット１０の運転状態や、主制御部７０から発せられる信号に対してヒートポンプユニット１０の機種データを主制御部７０に送信するようになっている。
【００２４】
台所用リモコン７１及び浴室用リモコン７２は、それぞれ通信ケーブルによって主制御部７０に接続されており、浴槽６１への温水の供給や追い炊き等の運転に関するスイッチ、供給される温水の温度を設定するための温度設定スイッチ、台所用リモコンと浴室用リモコンの優先権を切り替えるための優先スイッチ、台所と浴室の間で会話するための通話スイッチ等の複数のスイッチ７１ａ，７２ａと、運転状態及び設定温度等を表示するための表示部７１ｂ，７２ｂとを有している。
【００２５】
以上のように構成された給湯装置において、深夜電力を利用して水を加熱する沸き上げ運転や貯湯タンク２１の残湯量が所定量以下となった場合に追加して水を加熱する沸き増し運転を行う場合には、圧縮機１１、送風機１４ａ及び循環ポンプ５１を運転する。これにより、圧縮機１１から吐出された冷媒は、ガスクーラ１２を流通して放熱した後に膨張弁１３を介して蒸発器１４に流入して吸熱し、圧縮機１１に吸入される。また、貯湯タンク２１の下部の水は、循環ポンプ５１によって第１循環回路５０を流通し、ガスクーラ１２において冷媒と熱交換することにより加熱され、貯湯タンク２１の上部側に貯えられる。予め設定された温度の温水が貯湯タンク２１に設定された量が貯えられると、圧縮機１１、送風機１４ａ及び循環ポンプ５１を停止する。
【００２６】
沸き上げ運転において、運転モードによって、貯湯タンク２１に貯えられる温水の温度は６５℃〜９０℃の範囲で設定され、貯湯タンク２１に貯えられる温水の量は３７０ｌ〜３２０ｌの範囲で設定されるようになっている。また、沸き増し運転において、貯湯タンク２１に貯えられる温水の温度は、直前の沸き上げ運転時の設定温度が設定される。
【００２７】
また、台所または浴室において水栓Ａから供給される温水は、貯湯タンク２１の上部の温水が第１給湯管４１を流通し、第１混合弁４０ａにおいて第２給水管３２を流通する水と混合されて台所用リモコン７１または浴室用リモコン７２において設定された設定温度の温水となり、第２給湯管４２を流通することにより供給される。
【００２８】
また、浴槽６１に温水を貯めるときに供給される温水は、貯湯タンク２１の上部の温水が第１給湯管４１を流通し、第２混合弁４０ｂにおいて第２給水管３２を流通する水と混合されて台所用リモコン７１または浴室用リモコン７２において設定された設定温度の温水となり、第３給湯管４３及び第２循環回路６０を流通することにより供給される。
【００２９】
また、追い炊き運転は、循環ポンプ２３ａ，６２を運転することにより、第２循環回路６０を浴槽６１の温水を循環させ、第３循環回路２３を貯湯タンク２１の温水を循環させる。これにより、浴槽６１の温水は、追い炊き用熱交換器２２において貯湯タンク２１の上部の温水と熱交換することにより加熱され、浴槽６１に戻される。
【００３０】
また、ヒートポンプユニット１０及びタンクユニット２０を初めて設置する場合や、故障などによりヒートポンプユニット１０及びタンクユニット２０の一方のみを交換する場合の主制御部７０の動作を図２のフローチャートを用いて説明する。
【００３１】
まず、初期化を行い（ステップＳ１）、初期化が正常に行われると（ステップＳ２）、ヒートポンプユニット１０に通電し（ステップＳ３）、第１通信方式によってヒートポンプユニット１０の機種データの送信をヒートポンプ制御部８０に要求する（ステップＳ４）。このとき、初期化が正常に行われないと（ステップＳ２）、タンクユニット２０側に異常があるものとして表示部７１ｂ，７２ｂ等に警告を表示し（ステップＳ５）、動作を停止する（ステップＳ６）。ヒートポンプ制御部８０からの機種データの信号を受信し（ステップＳ７）、受信した信号から得られるヒートポンプユニット１０の機種がタンクユニット２０に対応可能であると判断すると（ステップＳ８）、そのヒートポンプユニット１０の機種に対応する制御定数等の設定を行う（ステップＳ９）。また、受信した信号から得られるヒートポンプユニット１０の機種がタンクユニット２０に対応不能であると判断すると（ステップＳ８）、タンクユニット２０に対してヒートポンプユニット１０が不適合である旨の警告を表示し（ステップＳ１０）、動作を停止する（ステップＳ１１）。また、第１通信方式によってヒートポンプユニット１０の機種データの信号が受信できない場合には（ステップＳ７）、第２通信方式によってヒートポンプユニット１０の機種データの送信をヒートポンプ制御部８０に要求する（ステップＳ１２）。これにより、ヒートポンプ制御部８０からの機種データの信号を受信すると（ステップＳ１３）、通信方式を第２通信方式に設定し（ステップＳ１４）、ヒートポンプ制御部８０からの機種データの信号を受信できない場合には（ステップＳ１３）、通信方式が適合しない旨の警告を表示し（ステップＳ１５）、動作を停止する（ステップＳ１６）。更に、受信した信号から得られるヒートポンプユニット１０の機種がタンクユニット２０に対応可能であると判断すると（ステップＳ１７）、そのヒートポンプユニット１０の機種に対応する制御定数等の設定を行う（ステップＳ１８）。また、受信した信号から得られるヒートポンプユニット１０の機種がタンクユニット２０に対応不能であると判断すると（ステップＳ１７）、タンクユニット２０に対してヒートポンプユニット１０が不適合である旨の警告を表示し（ステップＳ１９）、動作を停止する（ステップＳ２０）。
【００３２】
このように、本実施形態の給湯装置によれば、主制御部７０に記憶されたタンクユニット２０に対応可能な加熱能力を有するヒートポンプユニット１０の機種データに基づいて、タンクユニット２０に接続されたヒートポンプユニット１０がタンクユニット２０に対応可能な加熱能力を有するか否かを識別するようにしたので、タンクユニット２０及びタンクユニット２０に対応可能な加熱能力を有しないヒートポンプユニット１０の利用者への引き渡しを防止することができ、加熱能力の不足を原因とする引き渡し後の不具合の発生を防止することができる。
【００３３】
図３及び図４は本発明の第２実施形態を示すもので、図３は給湯装置の概略構成図、図４はタンクユニットにヒートポンプユニットを接続する際の制御部の動作を示すフローチャートである。尚、前記実施形態と同様の構成部分には同一の符号を付して示す。
【００３４】
この給湯装置のヒートポンプ制御部８０には、圧縮機１１、第１循環回路５０のガスクーラ１２から流出する温水の温度を検出する第１温度検出器８１及び冷媒回路１０ａの圧縮機１１から吐出される冷媒の温度を検出する第２温度検出器８２が接続されており、圧縮機１１、第１温度検出器８１及び第２温度検出器８２の信号を主制御部７０に送信するようになっている。
【００３５】
以上のように構成された給湯装置において、ヒートポンプユニット１０及びタンクユニット２０を初めて設置する場合や、故障などによりヒートポンプユニット１０及びタンクユニット２０の一方のみを交換する場合の主制御部７０の動作を図４のフローチャートを用いて説明する。
【００３６】
まず、初期化を行い（ステップＳ３１）、初期化が正常に行われると（ステップＳ３２）、ヒートポンプユニット１０に通電し（ステップＳ３３）、ヒートポンプユニット１０に運転指示を出す（ステップＳ３４）。このとき、初期化が正常に行われないと（ステップＳ３２）、タンクユニット２０側に異常があるものとして表示部７１ｂ，７２ｂ等に警告を表示し（ステップＳ３５）、動作を停止する（ステップＳ３６）。次に、圧縮機１１の運転を確認し（ステップＳ３７）、第１温度検出器８１の検出温度Ｔ１が所定温度Ｔ１ｓ以上を検出し（ステップＳ３８）、第２温度検出器８２の検出温度Ｔ２が所定温度Ｔ２ｓ以上を検出すると（ステップＳ３９）、第１温度検出器８１の検出温度Ｔ１及び第２温度検出器の検出温度Ｔ２に基づいてヒートポンプユニット１０の加熱能力を算出し（ステップＳ４０）、接続されたヒートポンプユニット１０が対応可能である旨及び算出された能力を表示部７１ｂ，７２ｂ等に表示し（ステップＳ４１）、ヒートポンプユニット１０の運転を停止する（ステップＳ４２）。ここで、圧縮機１１の運転が確認できないとき（ステップＳ３７）、第１温度検出器８１の検出温度Ｔ１が所定温度Ｔ１ｓより低いとき（ステップＳ３８）または第２温度検出器８２の検出温度Ｔ２が所定温度Ｔ２ｓより低いときには（ステップＳ３９）、接続されたヒートポンプユニット１０が対応不能である旨の警告を表示し（ステップＳ４３）、ヒートポンプユニット１０の運転を停止する（ステップＳ４４）。
【００３７】
ここで、ヒートポンプユニット１０の加熱能力の算出及び表示に関して、ヒートポンプユニット１０の最大能力に対応する運転モード（例えば、水温：８０℃、温水量：３７０ｌなど）を算出して表示部７１ｂ，７２ｂ等に表示する。
【００３８】
このように、本実施形態の給湯装置によれば、タンクユニット２０に接続したヒートポンプユニット１０を運転することによってヒートポンプユニット１０の加熱能力を測定し、測定された加熱能力が所定以上の場合に、タンクユニット２０に接続されたヒートポンプユニット１０をタンクユニット２０に対応可能なヒートポンプユニット１０として識別するようにしたので、タンクユニット２０及びタンクユニット２０に対応可能な加熱能力を有しないヒートポンプユニット１０の利用者への引き渡しを防止することができ、加熱能力の不足を原因とする引き渡し後の不具合の発生を防止することができる。
【００３９】
また、ヒートポンプユニット１０の加熱能力が不足する場合に、表示部７１ｂ，７２ｂ等に警告を表示するようにしたので、タンクユニット２０に対して接続したヒートポンプユニット１０が加熱能力不足であることを出力することができ、施工ミスを確実に防止することが可能となる。
【００４０】
また、接続したヒートポンプユニット１０の最大能力に対応する運転モードを表示部７１ｂ，７２ｂ等に表示するようにしたので、接続されたヒートポンプユニット１０の加熱能力を容易に把握することができ、利用者の判断によってヒートポンプユニット１０を交換することが可能となる。
【図面の簡単な説明】
【００４１】
【図１】本発明の第１実施形態を示す給湯装置の概略構成図
【図２】タンクユニットにヒートポンプユニットを接続する際の制御部の動作を示すフローチャート
【図３】本発明の第２実施形態を示す給湯装置の概略構成図
【図４】タンクユニットにヒートポンプユニットを接続する際の制御部の動作を示すフローチャート
【符号の説明】
【００４２】
１０…ヒートポンプユニット、２０…タンクユニット、７０…制御部、７１…台所用リモコン、７１ｂ…表示部、７２…浴室用リモコン、７２ｂ…表示部、８０…ヒートポンプ制御部。
【図１】
2009144934.tif 000003
【図２】
2009144934.tif 000004
【図３】
2009144934.tif 000005
【図４】
2009144934.tif 000006